(57)【要約】【課題】魚投入口が僅かに開いた状態でも、内部に収容した魚が外に飛び出し、あるいは逃げるのを防止する魚入れ容器を提供すること。【解決手段】魚投入口４０を形成した蓋体３０に、この魚投入口４０を開閉する内開きの閉塞体４２の一端側が回動可能に支持され、他端側が前記投入口４０を閉じる方向に付勢される引き舟１０であって、前記閉塞体４２が魚投入口４０を閉じたときに、この閉塞体４２の前記他端側の周部に沿ってこの閉塞体４２よりも内方に突出し、この閉塞体４２が前記魚投入口４０を開くときに、この閉塞体４２に沿って内部に流れ込む水流Ｆ中に突出する堰状の障壁部５２を蓋体３０に設けた引き舟。【選択図】    図４
2008048677.tif 000002
【特許請求の範囲】
【請求項１】
魚投入口を形成した上板部材に、この魚投入口を開閉する内開きの閉塞体の一端側が回動可能に支持され、他端側が前記投入口を閉じる方向に付勢される魚入れ容器であって、
前記閉塞体が魚投入口を閉じたときに、この閉塞体の前記他端側の周部に沿ってこの閉塞体よりも内方に突出し、この閉塞体が前記魚投入口を開くときに、この閉塞体に沿って内部に流れ込む水流中に突出する堰状の障壁部を前記上板部材に設けたことを特徴とする魚入れ容器。
【請求項２】
前記上板部材の内側に、前記魚投入口に沿って周壁部を延設し、この周壁部の頂部に、前記閉塞体の魚投入口側の上面が当接することにより、魚投入口が閉じられることを特徴とする魚入れ容器。
【発明の詳細な説明】
【技術分野】
【０００１】
本発明は、例えば釣上げた魚をそのまま水の中で保持する魚入れ容器に関し、特に、上板部材に形成した魚投入口を内開きの閉塞体で開閉する魚入れ容器に関する。
【背景技術】
【０００２】
例えば鮎釣り等では、活きの良いおとりの魚を収容して水中で保持する魚籠やオトリ用の引き舟等の魚入れ容器が用いられている。このような魚入れ容器は、水の流れの中に沈めておき、常に内部の水を新鮮な状態に維持して、魚が弱らないようにしておく。そして、必要に応じて魚入れ容器の中に収容したおとりの魚と交換し、あるいは釣れた魚を活きた状態で泳がせておく。
【０００３】
このような魚入れ容器には、内部に魚を収容する船状形状の箱体の上部にフロート空間を形成し、魚の取出しに便利な大きな上部開口を開閉する開閉蓋に、内側からフラップ状の閉塞体で閉じる魚投入口を形成したものがある（例えば特許文献１参照）。
【０００４】
この船状形状の魚入れ容器は、釣人が流れの中に立ち入り、牽引ロープを介して水の流れの中に引き流しておく。例えば箱体内に収容した元気なおとりの魚と交換する場合は、牽引ロープを引き寄せ、開閉蓋を開けて大きな開口から魚を取出すことができる。釣れた魚は、開閉蓋を開けることなく、閉塞体を外側から押圧しつつこの釣れた魚を魚投入口から箱体内に素早く投入し、活きた状態で泳がせておく。この魚投入口に配置した内開き構造のフラップは、魚の投入を容易にすると共に、内部からの魚の飛び出しを防止する。
【特許文献１】実開昭５３−２９９９０号公報
【発明の開示】
【発明が解決しようとする課題】
【０００５】
しかし、従来の魚入れ容器は、水の中から引上げるときや流れの中に入れたときに、水の押圧力でフラップ状の閉塞体が僅かに開き、この隙間から魚が逃げることがある。特に、魚入れ容器が水の中でわずかでも開くと、閉塞体との間の隙間から内部に水が流れ込む。この魚投入口から流れ込む水は、内部の魚に対する誘い水となり、魚はこの流れを遡って泳ぎ易くなる。このため、魚が容器の外に逃げやすい状態となる。
【０００６】
本発明は、このような事情に基づいてなされたもので、魚投入口が僅かに開いた状態でも、内部に収容した魚が外に飛び出し、あるいは逃げるのを防止する魚入れ容器を提供することを目的とする。
【課題を解決するための手段】
【０００７】
上記課題を解決する本発明の魚入れ容器は、魚投入口を形成した上板部材に、この魚投入口を開閉する内開きの閉塞体の一端側が回動可能に支持され、他端側が前記投入口を閉じる方向に付勢される魚入れ容器であって、前記閉塞体が魚投入口を閉じたときに、この閉塞体の前記他端側の周部に沿ってこの閉塞体よりも内方に突出し、この閉塞体が前記魚投入口を開くときに、この閉塞体に沿って内部に流れ込む水流中に突出する堰状の障壁部を前記上板部材に設けたことを特徴とする。
【０００８】
前記上板部材の内側に、前記魚投入口に沿って周壁部を延設し、この周壁部の頂部に、前記閉塞体の魚投入口側の上面が当接することにより、魚投入口が閉じられることが好ましい。
【発明の効果】
【０００９】
本発明の魚入れ容器によると、魚投入口を閉じる閉塞体が、例えば水流等の影響で僅かに開いても、堰状の障壁部が閉塞体に沿って内部に向かう水流中に突出することにより、魚が遡り易い水流の形成を阻害する共に、この閉塞体と上板部材との間に形成される間隙を内部から遮蔽しあるいは狭め、これにより、魚投入口が僅かに開いたときに、内部に収容した魚が外に飛び出し、あるいは逃げるのを防止することができる。
【００１０】
上板部材の内側に、閉塞体が当接する周壁部を延設した場合は、この周壁部と障壁部とが水流を乱すことにより、更に複雑な水流となり、内部に収納した魚が逃げ出すのを防止することができる。
【発明を実施するための最良の形態】
【００１１】
図１から図５は、本発明の好ましい実施形態による魚入れ容器を示す。本実施形態の魚入れ容器は、全体に水流に対する抵抗の小さい引き舟１０として形成してある。
【００１２】
図１に、釣り人が鮎の友釣り釣り等の実釣り中に川の流れの中に引き流した状態で示すように、本実施形態の引き舟１０は、おとりの魚を活きた状態で泳がせておく容器本体として船状形状に形成した引き舟本体１２を備え、この引き舟本体１２の前部すなわち船首側から延びる牽引ロープ１４により、水の流れに抗して引き舟本体１２を牽引することができる。実釣り中は、この牽引ロープ１４の先端に取り付けたベルト取付具１６を介して、釣り人の腰ベルト１８に結合しておくことができる。通常の持運びの際は、牽引ロープ１４が結合されるハンドル部を取っ手として用いることで、移動を容易に行うことができる。
【００１３】
図２に示すように、本実施形態の引き舟本体１２は、前部の外面形状が左右対称的な船首側の前部部分に水を取入れる複数の入水孔２０（概略的にのみ示す）を形成した下部部材２２と、この下部部材２２の開口を上側から閉じる上部部材２４とを有し、この下部部材２２と上部部材２４とで囲まれた内部空間が魚収容部２６（図３参照）を形成する。この引き舟本体１２が水の流れの中にあるときは、入水口２０からこの魚収容部２６内に新鮮な水が常時供給される。
【００１４】
一方、持運びに際して船首側を上に配置すると、入水口２０を介して船首側から水が排出され、入水口２０が形成されていない船尾側の後部部分が下側となって、この下側の後部部分に水が溜まる。この下側の後部部分に溜まった水の中で魚を泳がせながら、例えば、次のポイントに移動することができる。入水口２０は、水の出入りを迅速に行うことができる充分な開口面積を形成すると共に、持運び時に必要な水を確保するのに最適な位置に配置される。
【００１５】
この上部部材２４の前半部分には、魚の取出しに便利な大きな上部開口２８を形成してあり、上板部材である蓋体３０が、その後端部を、一対のヒンジ３２で上部部材に対して回動可能に支えられている。この蓋部材３０は例えば樹脂等で板状に形成され、前端部に設けられたフック状の操作体３４を、上部部材２４に係止することにより、上部開口２８を閉じた状態に保持することができる。
【００１６】
また、上部部材２４の後半部分には、凹部３６が形成され、この凹部３６と上部開口２８との間に、梁状の横部材３８が延設されている。この横部材３８の下側すなわち下部部材２２側には、凹部３６と連通した空間部（図示しない）を形成してあり、凹部３６側から指を差し入れる横部材３８に指を引掛けることで、例えばおとり用の魚の交換を容易に行うことができる。なお、このような横部材３８の下側あるいは後方に、排水用の小孔（図示しない）を形成してもよい。
【００１７】
図３に実線で示すように、この上部部材２４の上部開口２８を蓋体３０が閉じた状態では、操作体３４の上端部が蓋体３０から突出しており、この操作体３４の上端部を操作して、上部部材２４に対する係止を解除し、ヒンジ３２を中心として、図３に鎖線で示すように、上部部材２４の上方に回動することができる。これにより、上部開口２８が大きく開き、この上部開口２８を介して魚収容部２６から魚を取出すことができる。ヒンジ３２は、蓋体３０を上部部材２４の後半部分に重なる状態まで回動するものであってもよく、あるいは、その途中まで回動した状態で係止するものであってもよい。また、操作体３４は、上部開口２８を介して魚を取出す際に邪魔にならないものであれば、蓋部材３０に代えて上部部材２４に設けてもよい。
【００１８】
この蓋体３０は、上部開口２８を閉じたときに、上部部材２４の上面とほぼ連続し、この上部部材２４と共に引き舟本体１２の上面を形成する。この蓋体３０は、通常、引き舟本体１２を川の流れの中に引き流した状態でも、水面よりも上に位置しており、釣上げた魚を魚収容部２６内に投入するための魚投入口４０が形成されている。この魚投入口４０は、内開き構造の２つの閉塞体４２で閉じられており、この閉塞体４２を外部から押圧して魚収容部２６内に移動することにより、開くことができる。
【００１９】
図３から図５に詳細に示すように、蓋体３０の内側からは、魚投入口４０の周部に沿って、魚収容部２６側に周壁部４４が突出する。この周壁部４４は、魚投入口４０の全周にわたって連続し、その内周面４４ａは、蓋体３０の外側に魚投入口４０を開口させる傾斜面４０ａと連続する。この傾斜面４０ａが外方に広がることにより、この魚投入口４０の周部に鋭い角部が形成されず、魚を傷つけることなく投入することができる。また、この周壁部４４の頂部すなわち魚収容部２６内に突出する先端部の頂面４４ｂは、平坦な形状に形成されており、閉塞体４２の魚投入口側に位置する上面４２ａが、この周壁部４４の平坦な頂面４４ｂに当接することにより、この魚投入口４０が閉じられる。
【００２０】
魚投入口４０を開閉する閉塞体４２のそれぞれは、例えば樹脂製の板状形状を有し、前端側が蓋体３０の内面に回動可能に支持され、後端側が魚投入口４０を超えて後方に延びる。この閉塞体４２を回動可能に支えるため、蓋体３０の内側には、魚投入口４０の周壁部４２よりも前方に支持台部４６が配置されており、閉塞体４２の前端部に挿通された軸４８がこの支持台部４６で両端を支えられている。更に、この軸４８につる巻ばね状の付勢体５０が装着され、一端を支持台部４６で支え、他端で閉塞体４２を上方に向けて付勢し、図３に実線で示すように、この閉塞体４２の上面が周壁部４４の頂面４４ｂに当接した状態に保持する。そして、付勢体５０の付勢力に抗して、閉塞体４２を魚収容部２６内押圧すると、後端側が周壁部４４の頂部４４ｂから離隔し、前端側の軸４８を中心として回動し、図３に鎖線で示すように、閉塞体４２に軸４８の反対の開放端部４２ａ側において魚投入口４０を大きく開く。
【００２１】
このように、２つの閉塞体４２が左右に併置した状態に設けられているため、個々の閉塞体４２を軽量化し、付勢体５０の付勢力を小さくすることができる。魚投入口４０を開く場合は、各閉塞体４２を個別に回動することができるため、不必要に大きく開口して魚が逃げやすい状態とすることもない。
【００２２】
更に、この蓋体３０の内側には、閉塞体４２の周部に沿って、魚が飛び出すのを防止するための障壁部５２を形成してある。この障壁部５２は、魚投入口４０を閉じたときの閉塞体４２の周縁部に沿って、この周縁部との間に僅かな間隙を形成しつつこの閉塞体４２よりも内方すなわち魚収容部２６内に突出している。この障壁部５２は、周壁部４４との間に間隙５４を形成するものであれば、蓋体４０の内側から均一な高さで突出してもよく、あるいは前部側に向けて突出高さ次第に低くしてもよい。
【００２３】
このような障壁部５２は、蓋体３０と一体成形し、あるいは、別部材で形成してこの蓋体３０に取り付け固定してもよい。いずれの場合も、魚投入口４０の全周に設けることが最も好ましいが、少なくとも魚投入口４０の後端部側（魚投入口４０の閉塞体４２の解放端部側）に設けることが好ましく、閉塞体４２が魚投入口４０を開くときに、例えば魚投入口４０の前後方向の中央部よりも後端部側の縁部である、最も大きく移動する部分に沿って延在することがより好ましい。
【００２４】
図４に示すように、この障壁部５２は、閉塞体４２が魚投入口４０を開くときに、この閉塞体４２に沿って内部に流れ込む水流中に突出する堰状の障壁を形成する。
【００２５】
例えば、引き舟本体１２が流れの中で移動する際（図１）、あるいは水中から引上げる場合等に、蓋体３０上を流れる水で閉塞体４２が周壁部４４の頂部４４ｂから離隔して魚収容部２６側に僅かに移動すると、魚投入口４０が開く。この魚投入口４０から流入した水は、矢印Ｆで示すように、閉塞体４２の上面すなわち魚投入口４０側の面に沿って魚収容部２６内に流れ込む。
【００２６】
障壁部５２が、周壁部４４との間に間隙５４を形成する位置で、この矢印Ｆで示す水流中に突出するため、水流Ｆの向きが変えられ、矢印ｆで示すように、障壁部５２に沿う流れに形成される。この水流ｆは、障壁部５２と閉塞体４２の周縁部との間から魚収容部２６内に流れ込む。このように、障壁部５２により、魚収容部２６から外部に魚が遡りやすい一定方向の水流の形成が阻害されるため、閉塞体４２が魚投入口４０を僅かに開いたときに、閉塞体４２と周壁部４４との間の間隙を介して、魚が魚収容部２６から逃げ出すのが防止される。
【００２７】
また、閉塞体４２が障壁部５２の高さの範囲内で移動した場合には、閉塞体４２と周壁部４４との間の間隙５４が、障壁部５２で遮蔽され、この間隙を介して魚収容部２６内に光が差し込むのが防止される。これにより、光に向かって泳ぐ習性のある魚が、この間隙を介して逃げるのを防止することもできる。
【００２８】
更に、図５に示すように、閉塞体５２が障壁部５２の高さを超えて移動した場合も、障壁部５２が、閉塞体４２の上面に沿う一定方向の水流Ｆを堰きとめ、複雑な乱流を含む水流ｆとして魚収容部２６内に流す。魚投入口４０と魚収容部２６との間では、間隙５４を介して配された周壁部４４と障壁部５２とがそれぞれ水流を乱し、その方向を複雑に変えるため、魚が遡りやすい一定方向の水流の形成が阻害される。また、閉塞体５２が蓋体３０の周壁部４４との間に比較的大きな間隙が形成されるが、障壁部５２がこの間隙を狭め、この間隙を介して流入する光量を絞る作用をなし、これにより、魚投入口４０から魚が外に飛び出し、あるいは逃げるのを防止することができる。
【００２９】
上述の実施形態では、魚入れ容器として引き舟１０を例にとって説明したが、下部部材が籠、缶あるいは網等であってもよく、例えばびく、スカリ、おとり缶にも同様に適用することができる。また、障壁部５２は、水流を乱して魚の飛び出しを防止するものであれば、例えば多数の小さな孔を形成してもよく、壁状構造に代えて一部あるいは全部を複数の突片や網状に形成してもよい。
【００３０】
また、周壁部４０は、魚投入口４０の全周に設けずに後端部側に設けてもよい。
【図面の簡単な説明】
【００３１】
【図１】本発明の好ましい実施形態による魚入れ容器の説明図。
【図２】図１の魚入れ容器の説明図。
【図３】図２の魚入れ容器の断面構造の説明図。
【図４】図３の魚入れ容器の閉塞体が開いた状態の説明図。
【図５】図４の状態から更に閉塞体が開いた状態の説明図。
【符号の説明】
【００３２】
１０…引き舟（魚入れ容器）、１２…引き舟本体、３０…蓋体（上板部材）、４０…魚投入口、４２…閉塞体、４４…周壁部、５２…障壁部。
【図１】
2008048677.tif 000003
【図２】
2008048677.tif 000004
【図３】
2008048677.tif 000005
【図４】
2008048677.tif 000006
【図５】
2008048677.tif 000007